(57)【特許請求の範囲】
【請求項１】
周囲を密閉した一連の空気流路と、前記空気流路の途中に設けられ、複数の被乾燥物を収納可能であり、空気の入口と出口とを有する収納体と、前記収納体より前記空気流路の上流側に位置する加熱手段と、前記収納体より前記空気流路の下流側に位置する空気吸引手段と、前記収納体と前記空気吸引手段との間にあって前記被乾燥物からでた水を溜めておくための液取り槽とを有し、
前記収納体は本体容器の内部に位置し、前記本体容器は連通穴を有する仕切り板により処理槽と液取り槽とに分離され、前記収納体はその出口端部が前記仕切り板の連通穴の周りにおいて空気流通不能な状態で接触可能に配置でき、また前記処理槽側に前記加熱手段に連絡する通路が接続し、前記液取り槽側に前記空気吸引手段に連絡する通路が接続していることを特徴とする電子部品等の乾燥装置。
【請求項２】
前記収納体は上部が開放し下部に網が設けられている持ち運び可能な容器体であり、前記被乾燥物を前記網の上に保持可能であることを特徴とする請求項１記載の電子部品等の乾燥装置。
【請求項３】
前記本体容器内の液取り槽の外側に他の液取り槽を備え、前記本体容器内の液取り槽の一定高さのところから前記他の液取り槽に連絡する連絡管を有することを特徴とする請求項１または２記載の電子部品等の乾燥装置。
【請求項４】
前記他の液取り槽の上部から前記空気吸引手段に延びる吸引管を有することを特徴とする請求項３記載の電子部品等の乾燥装置。
【発明の詳細な説明】
【０００１】
【発明の属する技術分野】
本発明は、例えば電子部品等の小型精密部品を乾かすための乾燥機に関する。
【０００２】
【従来の技術】
最近の精密機器は、数多くの電子部品を基板等に組込み接続されることにより製品が出来上がっている。精密機器は僅かな埃や汚れが存在していても故障の原因になるため、製造をする前に、組み込まれる電子部品の埃や汚れを落とすために洗浄を行う。洗浄された電子部品は乾燥された後、精密機器に組み込まれる。
【０００３】
従来の乾燥工程では、遠心分離乾燥機を使用して、洗浄後に残っている水を遠心力で吹き飛ばして乾燥する方法を採用していた。しかし遠心分離乾燥機を使用すると、電子部品同士が互いに擦れあって傷付いたり、遠心力により電子部品の一部に無理な力が掛かり電子部品が変形してしまうなどの問題があった。またこのような使用不能な電子部品を選別し排除するのに手間が掛かったり、歩留まりの低下をもたらす原因ともなっていた。
【０００４】
一方電子部品を乾燥する他の方法として、電子部品に直接熱風を当てて水分を蒸発させる方法も採り得るが、この方法では全ての水分を蒸発させるのに多量の熱エネルギーが必要であり、また乾燥に多くの時間が掛かるため、現実的な方法ではなかった。
【０００５】
【発明が解決しようとする課題】
本発明はこのような背景に鑑みなされたもので、電子部品等の小型精密部品を、その品質を維持した状態で効率良く乾燥することができる乾燥装置を提供することを目的とする。
【０００６】
【課題を解決するための手段】
請求項１の発明は、周囲を密閉した一連の空気流路と、前記空気流路の途中に設けられ、複数の被乾燥物を収納可能であり、空気の入口と出口とを有する収納体と、前記収納体より前記空気流路の上流側に位置する加熱手段と、前記収納体より前記空気流路の下流側に位置する空気吸引手段と、前記収納体と前記空気吸引手段との間にあって前記被乾燥物からでた水を溜めておくための液取り槽とを有し、前記収納体は本体容器の内部に位置し、前記本体容器は連通穴を有する仕切り板により処理槽と液取り槽とに分離され、前記収納体はその出口端部が前記仕切り板の連通穴の周りにおいて空気流通不能な状態で接触可能に配置でき、また前記処理槽側に前記加熱手段に連絡する通路が接続し、前記液取り槽側に前記空気吸引手段に連絡する通路が接続していることを特徴とする電子部品等の乾燥装置である。
【０００７】
請求項２の発明は、前記収納体は上部が開放し下部に網が設けられている持ち運び可能な容器体であり、前記被乾燥物を前記網の上に保持可能であることを特徴とする請求項１記載の電子部品等の乾燥装置である。
【０００９】
請求項３の発明は、前記本体容器内の液取り槽の外側に他の液取り槽を備え、前記本体容器内の液取り槽の一定高さのところから前記他の液取り槽に連絡する連絡管を有することを特徴とする請求項１または２記載の電子部品等の乾燥装置である。
【００１０】
請求項４の発明は、前記他の液取り槽の上部から前記空気吸引手段に延びる吸引管を有することを特徴とする請求項３記載の電子部品等の乾燥装置である。
【００１１】
【作用】
請求項１の発明では、加熱手段で加熱された空気が、空気吸引手段により空気流路内を通って吸引される。その途中加熱空気は、収納体の入口から入り複数の被乾燥物の間を通って出口からでていく。このとき被乾燥物間に存在する水が、物理的に吸引されて液取り槽内に溜まる。また被乾燥物の表面に存在する水分は加熱空気から熱を吸収して蒸発し、その結果被乾燥物の表面が乾燥する。
また、請求項１の発明では、収納体はその出口端部が仕切り板の穴の周りにおいて空気流通不能な状態で接触可能に配置できるから、加熱空気は仕切り板と収納体との接触部分を通らずに、全て収納体の入口から被乾燥体を通って出口へ抜ける。
【００１２】
請求項２の発明では、収納体が持ち運び可能な容器体であるから、被乾燥物の容器内への充填や取り出しおよび移動が容易に行える。また容器体上部が開放し下部に網が設けられているから、被乾燥物を網の上に載せた状態で上部から下部へ空気の流通が可能である。
【００１４】
請求項３の発明では、本体容器内の液取り槽の外側に他の液取り槽を備え、本体容器内の液取り槽の一定高さのところから他の液取り槽に連絡する連絡管を有するから、本体容器内の液取り槽の一定高さまで水が溜まったときに、溢れた水が他の液取り槽に流れ込み、その分多量の水を溜めておくことができる。
【００１５】
請求項４の発明では、他の液取り槽の上部から空気吸引手段に延びる吸引管を有するから、ドレン水が空気吸引手段に流れ込みにくい。
【００１６】
【発明の実施の形態】
以下、本発明の実施例について、図１から図６を参照して説明する。
図１中、符号１は本発明の乾燥装置でを示し、この乾燥装置１は基枠３に対して本体容器５、ヒータ７、ブロワ９および制御盤１１が主要な部材として配置されている。
【００１７】
本体容器５は、その上部に回動式に開閉可能な蓋体１３を有し、蓋体１３が閉じているときには本体容器５は内部が密閉状態になっている。蓋体１３の側部には導入口１５が形成されており、この導入口１５はフレキシブル管１７を介してヒータ７に接続されている。
【００１８】
本体容器５の内部は、ほぼ中央に形成された仕切り板１９によって上下の２つの槽、すなわち処理槽２１と一次液取り槽２３とに分割されている。仕切り板１９の中央には大きな連通穴２５が形成され、仕切り板１９の上面側の連通穴２５の周りには環状のパッキン２７が設けられている。パッキン２７の上には把手２８を有する処理籠２９が載せられ、パッキン２７の作用によって、処理籠２９の下端周囲からは空気が連通穴２５を介して一次液取り槽２３側に流通しないようになっている。また処理籠２９の周面を保持するように、仕切り板１９から保持部材３１が延び、これにより処理籠２９が所定の位置に位置決めされて保持されている。
【００１９】
図６に示すように処理籠２９は全体が円柱形をなし、その下面側には電子部品等の被乾燥物Ｅよりも小さな網の目を有する支持網３３が設けられている。更にこの支持網３３の直下には、支持網３３を下側から支持する大きな網の目を有する補強網３５が設けられている。処理籠２９の上端は、被乾燥物Ｅを出し入れできるように開放してある。
【００２０】
本体容器５の下側部分すなわち一次液取り槽２３には、底部に一次ドレン用配管３７が接続し、その途中にコック３８が設けられている。運転時にはこのコック３８は閉じており、本体容器５内は密閉される。一次液取り槽２３には、乾燥処理時に被乾燥物Ｅからでた水が溜まるようになっており、この水はコック３８を開くことにより排出できるようになっている。
【００２１】
また一次液取り槽２３の側壁には連絡管３９の一端が接続し、この連絡管３９の他端側は、本体容器５の外部にある二次液取り槽４１に接続している。連絡管３９の入口には防護ネット４０が設けられ、これにより被乾燥物Ｅに混じって存在していた異物や処理籠２９の支持網３３が破れて落下した被乾燥物Ｅが、誤って下流側へ流れて、ブロワ９の故障の原因となることを防止している。
【００２２】
二次液取り槽４１は、一次液取り槽２３を補助する役割を果している。二次液取り槽４１の底部には二次ドレン用配管４３が接続し、その途中にコック４４が設けられている。上記コック３８同様に、運転時にはコック４４は閉じているが、コック４４を開くことにより二次液取り槽４１に溜まった水を外部に排出できる。
【００２３】
二次液取り槽４１の上部からは吸引管４５が延び、その他端がブロワ９に接続されている。ブロワ９は排気管４７を有し、二次液取り槽４１内の空気を吸引して排気管４７から排気する。
【００２４】
一方ヒータ７は電熱線４９を有し、またヒータ７にフレキシブル管１７が接続された側と反対側には、フィルタ５１を有する空気取入口５３を有する。ヒータ７は、一般には処理籠２９内の被乾燥物Ｅを通り抜ける空気の温度がほぼ６０°Ｃから７０°Ｃ程度の加熱力を有するもので十分である。ヒータの能力は、ブロワ９の吸引力と乾燥効率および被乾燥物Ｅの種類によって決定することができるが、可変抵抗を設けて加熱温度を調節自在とし、種々の条件に応じてこれを調節するようにしてもよい。
【００２５】
以上のように本発明の乾燥装置１は、空気の流れの上流側から順にヒータ７、フレキシブル管１７、処理槽２１、一次液取り槽２３、連絡管３９、二次液取り槽４１、吸引管４５およびブロワ９というように一連の密閉された空気流路を形成しており、その途中に被乾燥物Ｅを入れる処理籠２９が配置されるようになっている。
【００２６】
以下このような乾燥装置１の作動状態について説明する。まず初期状態では、制御盤１１にあるヒータ７およびブロワ９のスイッチはＯＦＦとなっており、一次ドレン用配管３７および二次ドレン用配管４３にそれぞれ設けられているコック３８、４４は閉じている。
この状態で蓋体１３を開けて、本体容器５内から処理籠２９を把手２８をもって取り出す。処理籠２９に電子部品等の被乾燥物Ｅを適量入れ、パッキン２７の上に再び置く。このとき処理籠２９の下端がパッキン２７と密接するため、処理槽２１と一次液取り槽２３との流通は処理籠２９の内側を介してのみ可能となる。
【００２７】
蓋体１３を閉め、ヒータ７とブロワ９とのスイッチをＯＮにする。ブロワ９は二次液取り槽４１および一次液取り槽２３内の空気を吸引して、排気管４７から排気する。そのため一次液取り槽２３内は負圧となり、処理籠２９内にある被乾燥物Ｅ間に存在する水に作用してこれを吸引する。被乾燥物Ｅ間に存在する水は、空気の流れに従って下方に流動し、一次液取り槽２３内に落下して溜まる。
これと同時に空気取入口５３から取り入れられた空気がヒータ７で熱せられ、導入口１５から処理槽２１内に吸引される。吸引された加熱空気は被乾燥物Ｅの周りに付着した水分の蒸発を促し、被乾燥物Ｅの間を流れる空気流とともに水蒸気として一次液取り槽２３内に排出される。その一部は一次液取り槽２３あるいは二次液取り槽４１内で冷却されて水になり、残りの水蒸気は排気管４７から空気とともに排出される。
【００２８】
一次液取り槽２３内に溜まった水が連絡管３９の高さに達すると、溢れた水は二次液取り槽４１内に流れ込み、その中に溜まり始める。本発明では、このように一次液取り槽２３と二次液取り槽４１とを直列に配置し、且つ二次液取り槽４１の上部からブロワ９へ吸引管４５を接続する構成を採っているので、水が誤ってブロワ９内に流れ込むことが防止され、ブロワ９の保護が図られている。
【００２９】
乾燥処理を開始してから一定時間が経過したら、ヒータ７とブロワ９のスイッチを切り、蓋体１３を開けて処理籠２９を取り出す。一次液取り槽２３および二次液取り槽４１に溜まった水は、それぞれコック３８、４４を開状態にして外部へ排出する。
【００３０】
【発明の効果】
以上説明したように本発明によれば、ヒータ７で加熱された空気をブロワ９により吸引する途中に被乾燥物Ｅが置かれているから、被乾燥物間に存在する水は、最初の段階では物理的に吸引されて液取り槽２３、４１内に溜まる。その後は、被乾燥物の表面に存在する水分が加熱空気から熱を吸収して蒸発し、その結果被乾燥物の表面が乾燥する。従って乾燥効率が高く、その割りにランニングコストも掛からない。また０．１ｍｍ程度の微小部品も効率よく乾燥できる。
【００３１】
またブロワ９により吸引される加熱空気の全てが被乾燥物の間を通過するから、エネルギー損失が極めて少なく、この点でも効率的な乾燥が行える。更に乾燥装置の一連の空気流路に、従来使用されていた水切りフィルタ等が介在しないため、圧損が少なく、この点でも乾燥効率が良い。
【００３２】
更に加熱空気の温度が６０°Ｃ程度でも十分乾燥効率が良いので、処理籠２９の出し入れ時に、作業者が火傷を負ったりすることがない。また処理籠２９を取り外して持ち運び可能であるから、被乾燥物の容器内への充填や取り出しおよびその移送が容易に行える。
【００３３】
更に一次液取り槽２３と、その一定の高さのところから連絡管３９を介して接続する二次液取り槽４１とを有するから、一次液取り槽２３から溢れた水を二次液取り槽４１に予備的に溜めることができ、従って乾燥運転中に多量の水を溜めておくことができる。
【００３４】
更に二次液取り槽４１とブロワ９とを連絡する吸引管４５が、二次液取り槽４１の上部に接続しているから、ドレン水がブロワ９に流れ込みにくい。
【図面の簡単な説明】
【図１】本発明の乾燥装置の全体的外観を示す斜視図である。
【図２】本発明の乾燥装置の全体的機構の模式図である。
【図３】本発明の乾燥装置の正面図である。
【図４】本発明の乾燥装置の側面図である。
【図５】本発明の乾燥装置の上面図である。
【図６】被乾燥物を入れる収納籠の一部破断斜視図である。
【符号の説明】
１  乾燥装置
３  基枠
５  本体容器
７  ヒータ
９  ブロワ
１１  制御盤
１３  蓋体
１５  導入口
１７  フレキシブル管
１９  仕切り板
２１  処理槽
２３  一次液取り槽
２５  連通穴
２７  パッキン
２８  把手
２９  処理籠
３１  保持部材
３３  支持網
３５  補強網
３７  一次ドレン用配管
３８  コック
３９  連絡管
４０  防護ネット
４１  二次液取り槽
４３  二次ドレン用配管
４４  コック
４５  吸引管
４７  排気管
４９  電熱線
５１  フィルタ
５３  空気取入口
Ｅ  被乾燥物
【図１】
0003699182.tif 000002
【図２】
0003699182.tif 000003
【図３】
0003699182.tif 000004
【図４】
0003699182.tif 000005
【図５】
0003699182.tif 000006
【図６】
0003699182.tif 000007